(57)【要約】【課題】皮膚の自己回復機能に対し効果的に作用すると共に、効果が実感できる酸素富化機を提供する。【解決手段】本体１に内蔵され酸素富化空気を発生する酸素富化手段２と、前記酸素富化手段２で得られた酸素富化空気を前記本体１外に吐出する吐出口部６と、把手８と櫛歯１５を有した略円柱状のブラシ体１６と、前記把手８に設けられた中継部１３と、前記吐出口部６と前記中継部１３とをつなぐチューブ９と、前記中継部１３に接続されかつ前記酸素富化空気を吐出する吐出部７を複数有する連結管１４を備えたもので、使用者は直接頭皮に酸素富化空気を当てながら、櫛歯１５で頭皮に酸素富化機の運転時の脈動を伝え、効果的に頭皮を刺激することができると共に、酸素富化空気による効果を実感することができる。【選択図】図１
2007054353.tif 000002
【特許請求の範囲】
【請求項１】
本体に内蔵され酸素富化空気を発生する酸素富化手段と、前記酸素富化手段で得られた酸素富化空気を前記本体外に吐出する吐出口部と、櫛歯を有する部分に吐出部を有するブラシ体と、前記ブラシ体と前記吐出口部とをつなぐチューブとを供え、前記チューブを介して前記酸素富化空気をブラシ体の吐出部から吐出する酸素富化機。
【請求項２】
本体に内蔵され酸素富化空気を発生する酸素富化手段と、前記酸素富化手段で得られた酸素富化空気を前記本体外に吐出する吐出口部と、開口周縁に伸縮部材を有し頭部を覆う袋状体とを備え、前記袋状体は、チューブを介して前記吐出口部と連通する中継部と、前記中継部に接続されかつ前記酸素富化空気を前記袋状体内に吐出する吐出部を複数有する連結管を備えた酸素富化機。
【請求項３】
本体に内蔵され酸素富化空気を発生する酸素富化手段と、前記酸素富化手段で得られた酸素富化空気を前記本体外に吐出する吐出口部と、両耳と鼻により係止される略めがね形状体とを備え、前記略めがね形状体は、チューブを介して前記吐出口部と連通する中継部と、前記中継部に接続されかつ前記酸素富化空気を吐出する吐出部を複数有する連結管を備えた酸素富化機。
【請求項４】
本体に内蔵され酸素富化空気を発生する酸素富化手段と、前記酸素富化手段で得られた酸素富化空気を前記本体外に吐出する吐出口部と、目と鼻を覆うと共に頭部に取り付けられる略ゴーグル状体とを備え、前記略ゴーグル状体は、チューブを介して前記吐出口部と連通する中継部と、前記中継部に接続されかつ前記酸素富化空気を前記略ゴーグル状体内に吐出する吐出部を複数有する連結管を備えた酸素富化機。
【請求項５】
本体に内蔵され酸素富化空気を発生する酸素富化手段と、前記酸素富化手段で得られた酸素富化空気を前記本体外に吐出する吐出口部と、一端に酸素富化空気を吐出する吐出部を、他端に中継部を持つ略円筒状体と、前記吐出口部と前記中継部とを連結するチューブと、前記中継部と前記吐出部とを連通する連結管とを備えた酸素富化機。
【発明の詳細な説明】
【技術分野】
【０００１】
本発明は、酸素富化手段を用いて得られる所謂酸素富化空気を使用者に提供する酸素富化機に関するもので、特に、酸素富化空気を吐出する吐出部に関するものである。
【背景技術】
【０００２】
従来の酸素富化機として、空気中の酸素を濃縮して酸素富化空気を発生させる装置本体と、これに接続され酸素富化空気を吐出する吐出部とを基本構成とし、付加機能として例えばマイナスイオン発生手段を備えたものがある（例えば、特許文献１参照）。
【特許文献１】特開平１０−２３４８３６号公報
【発明の開示】
【発明が解決しようとする課題】
【０００３】
しかしながら従来の酸素富化機で、酸素富化空気にマイナスイオンを付加したものは、その効果を短時間に使用者が実感することが難しいとの意見が多くあった。酸素富化空気が人体に与える影響の検証が進む中、酸素富化空気を直接皮膚に噴射するとストレスや外部からの刺激で衰え老化した皮膚が本来の健康な状態に戻ろうとする作用を助ける効果・効能があることが分かってきた。そして、マイナスイオンではえられ難い程皮膚に有効に作用するとの臨床データもそろいつつある。
【０００４】
本発明は、前記従来の課題を解決するもので、皮膚の自己回復機能に対してより効果的に作用すると共に、即時効果がでていることを容易に実感することが出来る優れた酸素富化機を提供することを目的とする。
【課題を解決するための手段】
【０００５】
前記従来の課題を解決するために、本発明の酸素富化機は、本体に内蔵され酸素富化空気を発生する酸素富化手段と、前記酸素富化手段で得られた酸素富化空気を前記本体外に吐出する吐出口部と、櫛歯を有する部分に吐出部を有するブラシ体と、前記ブラシ体と前記吐出口部とをつなぐチューブとを供え、前記チューブを介して前記酸素富化空気をブラシ体の吐出部から吐出する構成としてあり、使用者は直接頭皮に酸素富化空気を当てながら、櫛歯で頭皮に酸素富化機の運転時の脈動を伝え、効果的に頭皮を刺激することができると共に、酸素富化空気による効果を実感することができる。
【０００６】
本発明の酸素富化機は、本体に内蔵され酸素富化空気を発生する酸素富化手段と、前記酸素富化手段で得られた酸素富化空気を前記本体外に吐出する吐出口部と、開口周縁に伸縮部材を有し頭部を覆う袋状体とを備え、前記袋状体は、チューブを介して前記吐出口部と連通する中継部と、前記中継部に接続されかつ前記酸素富化空気を前記袋状体内に吐出する吐出部を複数有する連結管を備えたもので、袋状体を頭にかぶることにより、酸素富化空気を頭部に部分的に当てるだけでなく、袋状体の中に拡散して頭皮を酸素富化空気中に晒すことができるので効果的に継続して頭皮を刺激することができる共に、酸素富化空気による効果を実感することができる。
【０００７】
また、本発明の酸素富化機は、本体に内蔵され酸素富化空気を発生する酸素富化手段と、前記酸素富化手段で得られた酸素富化空気を前記本体外に吐出する吐出口部と、両耳と鼻により係止される略めがね形状体とを備え、前記略めがね形状体は、チューブを介して前記吐出口部と連通する中継部と、前記中継部に接続されかつ前記酸素富化空気を吐出する吐出部を複数有する連結管を備えたもので、目に直接酸素富化空気が吹き付けられるので、効果的に目に刺激を与えることができる。
【０００８】
又、本発明の酸素富化機は、本体に内蔵され酸素富化空気を発生する酸素富化手段と、前記酸素富化手段で得られた酸素富化空気を前記本体外に吐出する吐出口部と、目と鼻を覆うと共に頭部に取り付けられる略ゴーグル状体とを備え、前記略ゴーグル状体は、チューブを介して前記吐出口部と連通する中継部と、前記中継部に接続されかつ前記酸素富化空気を前記略ゴーグル状体内に吐出する吐出部を複数有する連結管を備えたもので、目に直接酸素富化空気を吹き付け、しかもその酸素富化空気中に目を晒すことによって、効果的に継続して目に刺激を与えることができる。
【０００９】
さらに、本発明の酸素富化機は、本体に内蔵され酸素富化空気を発生する酸素富化手段と、前記酸素富化手段で得られた酸素富化空気を前記本体外に吐出する吐出口部と、一端に酸素富化空気を吐出する吐出部を、他端に中継部を持つ略円筒状体と、前記吐出口部と前記中継部とを連結するチューブと、前記中継部と前記吐出部とを連通する連結管とを備えたもので、略円筒状体に設けた吐出部を使用者の思っているところに気軽に当てられ、使用性の高い酸素富化機を提供することができる。
【発明の効果】
【００１０】
本発明の酸素富化機は、酸素富化空気を吐出部から頭皮、目、皮膚などに効果的に直接吹き付けられるので、頭皮、目、皮膚に効果的に作用させることができ使用感も充分感じながら頭皮、目、皮膚のお手入れをすることができる。
【発明を実施するための最良の形態】
【００１１】
第１の発明は、本体に内蔵され酸素富化空気を発生する酸素富化手段と、前記酸素富化手段で得られた酸素富化空気を前記本体外に吐出する吐出口部と、櫛歯を有する部分に吐出部を有するブラシ体と、前記ブラシ体と前記吐出口部とをつなぐチューブとを供え、前記チューブを介して前記酸素富化空気をブラシ体の吐出部から吐出する構成としてあり、使用者は直接頭皮に酸素富化空気を当てながら、櫛歯で頭皮に酸素富化機の運転時の脈動を伝え、効果的に頭皮を刺激することができると共に、酸素富化空気による効果を実感することができる。
【００１２】
第２の発明は、本体に内蔵され酸素富化空気を発生する酸素富化手段と、前記酸素富化手段で得られた酸素富化空気を前記本体外に吐出する吐出口部と、開口周縁に伸縮部材を有し頭部を覆う袋状体とを備え、前記袋状体は、チューブを介して前記吐出口部と連通する中継部と、前記中継部に接続されかつ前記酸素富化空気を前記袋状体内に吐出する吐出部を複数有する連結管を備えたもので、袋状体を頭にかぶることにより、酸素富化空気を頭部に部分的に当てるだけでなく、袋状体の中に拡散して頭皮を酸素富化空気中に晒すことができるので効果的に継続して頭皮を刺激することができる共に、酸素富化空気による効果を実感することができる。
【００１３】
第３の発明は、本体に内蔵され酸素富化空気を発生する酸素富化手段と、前記酸素富化手段で得られた酸素富化空気を前記本体外に吐出する吐出口部と、両耳と鼻により係止される略めがね形状体とを備え、前記略めがね形状体は、チューブを介して前記吐出口部と連通する中継部と、前記中継部に接続されかつ前記酸素富化空気を吐出する吐出部を複数有する連結管を備えたもので、目に直接酸素富化空気が吹き付けられるので、効果的に目に刺激を与えることができる。
【００１４】
第４の発明は、本体に内蔵され酸素富化空気を発生する酸素富化手段と、前記酸素富化手段で得られた酸素富化空気を前記本体外に吐出する吐出口部と、目と鼻を覆うと共に頭部に取り付けられる略ゴーグル状体とを備え、前記略ゴーグル状体は、チューブを介して前記吐出口部と連通する中継部と、前記中継部に接続されかつ前記酸素富化空気を前記略ゴーグル状体内に吐出する吐出部を複数有する連結管を備えたもので、目に直接酸素富化空気を吹き付け、しかもその酸素富化空気中に目を晒すことによって、効果的に継続して目に刺激を与えることができる。
【００１５】
第５の発明は、本体に内蔵され酸素富化空気を発生する酸素富化手段と、前記酸素富化手段で得られた酸素富化空気を前記本体外に吐出する吐出口部と、一端に酸素富化空気を吐出する吐出部を、他端に中継部を持つ略円筒状体と、前記吐出口部と前記中継部とを連結するチューブと、前記中継部と前記吐出部とを連通する連結管とを備えたもので、略円筒状体に設けた吐出部を使用者の思っているところに気軽に当てられ、使用性の高い酸素富化機を提供することができる。
【００１６】
以下、本発明の実施の形態について、図面を参照しながら説明する。なお、この実施の形態について本発明が限定されるものではない。
【００１７】
（実施の形態１）
図１は本発明の第１の実施の形態における酸素富化機の全体斜視図、図２は同酸素富化機の把手の断面図である。
【００１８】
図１、図２において、酸素富化機本体（以下、本体と称す）１の内部には、前記本体１内に吸引された空気の酸素の濃度を高め、所謂酸素富化空気を発生する酸素富化膜（図示せず）からなる酸素富化手段２を配設している。前記酸素富化手段２を通過することで空気の酸素濃度は、通過前の通常２１％（窒素約７９％）から、約３０％（窒素約７０％）に高められる。
【００１９】
また、本体１の内部には、本体１の背面に設けた吸気口３から前記本体１内に外気を吸引する給排気手段１２が設けてあり、本体１内に吸引された外気は酸素富化手段２の外周に送られ、酸素富化手段２の酸素富化膜を通過することで酸素が少なくなった残りの空気は、給排気手段１２により本体１の側面に設けた排気口４から外部へと排出される。
【００２０】
吸引手段５はポンプなどからなり、前記本体１内に吸引された空気の一部を、酸素富化手段２の酸素富化膜を通して吸引するもので、その出力側は空気流路（図示せず）を通り本体１の側面に設けられた吐出口部６と連通されている。１６はブラシ体で、使用時に使用者が握ると共に後端に、一端が吐出口部６に接続されたチューブ９の他端が接続される中継部１３を備えた把手８と、櫛歯１５を有している。１４は中継部１３と酸素富化空気を吐出する吐出部７とを連通する連結管である。
【００２１】
１０は、給排気手段１２の反対側に位置し、本体１の操作部１１により操作設定された運転時間、運転状況を掴み通常は運転を行い、異常がある場合は、停止する等の制御を行う制御手段である。
【００２２】
次に、図２を用いてブラシ体１６の構成を詳細に説明する。
【００２３】
把手８は、略円柱状のブラシ体１６と結合しており、一端が中継部１３に連結され複数の吐出部７を備えた連結管１４を内部に配している。ブラシ体１６には、連結管１４に設けた複数の吐出部７の位置と合う位置に穴１７が設けられている。ブラシ体１６には、吐出部７からの酸素富化空気の吹き出し方向と同方向に突出した櫛歯１５が複数形成されている。１８は、中継部１３と連結管１４とのエアータイトを行うＯリングである。
【００２４】
以上のように構成された本実施の形態における酸素富化機の動作を説明する。
【００２５】
酸素富化空気を吐出部７から出して人の頭皮に噴射するために、把手８を握り、櫛歯１５が頭皮に当たるように頭につけ、前後左右に把手８を動かすことにより、頭皮に酸素富化空気が当たるだけではなく、本体１の運転時に吸引手段５で発生する脈動が伝えられるので、頭皮に刺激を与え、効果的に頭皮に作用する。
【００２６】
以上のように本実施の形態によれば、使用者は直接頭皮に酸素富化空気を当てることができると共に、櫛歯１５を通して頭皮に酸素富化機の吸引手段５の脈動が伝えられ、効果的に頭皮を刺激することができる。
【００２７】
（実施の形態２）
図３は、本発明の第２の実施の形態における酸素富化機の袋状体の斜視図である。なお、上記実施の形態と同一部分については、同一符号を付してその説明を省略する。
【００２８】
本実施の形態は、図３に示すように、酸素富化空気を送出するチューブ９に、使用者の頭にかぶせる袋状体２０を接続するもので、袋状体２０の開口周縁には伸縮部材としてゴム１９が取り付けられ、外面には、チューブ９に接続される中継部１３が設けられ、内部には、中継部１３に連通すると共に所定の間隔を置いて複数の吐出部７を配した連結管１４を略円環状に配されている。
【００２９】
以上のように構成された本実施の形態における酸素富化機の動作を説明する。
【００３０】
酸素富化空気を頭皮に噴射するために、前記袋状体２０を頭にかぶり、酸素富化機本体１を運転すると、酸素富化空気が吐出口部６からチューブ９、中継部１３、連結管１４を経て吐出部７から袋状体２０内に吐出し、頭皮に当たるように吹き付けられる。酸素富化空気はこの袋状体２０の中にたまり充満して、頭皮が高濃度酸素雰囲気下におかれ、効果的に頭皮に作用する。
【００３１】
以上のように、本実施に形態によれば、使用者は酸素富化空気を単に部分的に当てるだけでなく、袋状体２０の中に拡散して頭皮を酸素富化空気中に保つため、効果的に継続して頭皮を刺激することができると共に、その効果を容易に実感できるものである。
【００３２】
（実施の形態３）
図４は、本発明の第３の実施の形態における酸素富化機の略めがね形状体の斜視図である。なお、上記実施の形態と同一部分については、同一符号を付してその説明を省略する。
【００３３】
本実施の形態は、図４に示すように、酸素富化空気を送出するチューブ９に、使用者の両耳と鼻にかけられる略めがね形状体２１を接続したもので、略めがね形状体２１は、本体１からのチューブ９を接続する中継部１３と、中継部１３に接続されると共に略水平に配され下向きに酸素富化空気を吐出する複数の吐出部７を有する連結管１４を備えている。
【００３４】
以上のように構成された本実施の形態における酸素富化機の動作を説明する。
【００３５】
略めがね形状体２１を通常のめがねのように両耳と鼻にかけ、酸素富化機本体１を運転すると、酸素富化空気が本体１の吐出部７から、チューブ９、中継部１３、連結管１４を経て、吐出部７より下向きに、つまり目に当たるように吹き出され、目に高濃度酸素を送り込み、効果的に目に刺激を与えることができる。
【００３６】
（実施の形態４）
図５は、本発明の第４の実施の形態における酸素富化機の略ゴーグル状体の斜視図である。なお、上記実施の形態と同一部分については、同一符号を付してその説明を省略する。
【００３７】
本実施の形態は、図５に示すように、酸素富化空気を送出するチューブ９に、ゴーグルのように目と鼻を覆う略ゴーグル状体２２を接続したもので、略ゴーグル状体２２は、本体１からのチューブ９を接続する中継部１３と、中継部１３に接続されると共に略円環状に配され、内方に向かって酸素富化空気を吐出する複数の吐出部７を有する連結管１４と、略ゴーグル状体２２を使用者の頭に留めるためのゴムバンド２３を備えている。
【００３８】
以上のように構成された本実施の形態における酸素富化機の動作を説明する。
【００３９】
略ゴーグル状体２２を顔に取り付け、酸素富化機本体１を運転すると、酸素富化空気がチューブ９、中継部１３、連結管１４を経て、吐出部７より内方に向かって、すなわち目に当たるように吹き付けられ、それにより目に高濃度酸素を送り込み、効果的に目に作用する。
【００４０】
また、略ゴーグル状体２２内に酸素富化空気が充満するので、目が高濃度酸素に継続して晒されることになり、酸素富化空気が、より効果的に目に作用する。また、略ゴーグル状体２２はゴムバンド２３で使用者の頭部に固定され、顔と略ゴーグル状体２２の間には隙間があまりないため、鼻から酸素富化空気を吸うこともでき効果的に体に作用する。
【００４１】
以上のように本実施の形態によれば、目に直接酸素富化空気が吹き付けられ、しかもその酸素富化空気中に目が晒されることによって、効果的に継続して目に刺激を与えることができ、しかも鼻からも高濃度酸素を効果的に吸引することが出来、極めて使用勝手が良い酸素富化機を提供する事ができる。
【００４２】
（実施の形態５）
図６は、本発明の第５の実施の形態における酸素富化機の略円筒状体の斜視図である。なお、上記実施の形態と同一部分については、同一符号を付してその説明を省略する。
【００４３】
本実施の形態は、図６に示すように、酸素富化空気を送出するチューブ９に、直接皮膚に当てられる略円筒状体２４を接続するもので、略円筒状体２４は、本体１からのチューブ９が接続される中継部１３と、内部に配されると共に先端に複数の吐出部７を設けた連結管１４を備え、この吐出部７から出る酸素富化空気を部分的に直接皮膚に当てるようにしたものである。略円筒状体２４は、持ち易いように略円筒状に形成されている。
【００４４】
以上のように構成された本実施の形態における酸素富化機の動作を説明する。
【００４５】
酸素富化機本体１を運転すると、酸素富化空気がチューブ９、中継部１３、連結管１４を経て吐出部７から吐出する。そして略円筒状体２４をもって、吐出部７を顔や体の一部に向けることで、酸素富化空気が直接皮膚に噴射し、皮膚に高濃度酸素を直接送り込むことができ、それにより皮膚が活性化し、効果的に作用する。
【００４６】
以上のように、本実施の形態によれば、略円筒状体２４の吐出部７を使用者の体の思っているところに自由に向けたり当てたりすることができるので、使用性の高い酸素富化機を提供することができる。
【産業上の利用可能性】
【００４７】
以上のように本発明にかかる酸素富化機は、酸素富化空気を直接皮膚（頭皮、目、顔面等）に噴射することで皮膚の自己回復機能に対してより効果的に作用すると共に、皮膚への直接的な刺激を感じられることで即時効果がでている実感を得られるもので、美顔器等のエステ用機器にも応用展開ができまた、家庭用や業務用にも有用である。
【図面の簡単な説明】
【００４８】
【図１】本発明の実施の形態１における酸素富化機の全体斜視図
【図２】同酸素富化機のブラシ体の断面図
【図３】本発明の実施の形態２における酸素富化機の袋状体の斜視図
【図４】本発明の実施の形態３における酸素富化機の略めがね形状体の斜視図
【図５】本発明の実施の形態４における酸素富化機の略ゴーグル状体の斜視図
【図６】本発明の実施の形態５における酸素富化機の略円筒状体の斜視図
【符号の説明】
【００４９】
１    酸素富化機（本体）
２    酸素富化手段
６    吐出口部
７    吐出部
８    把手
９    チューブ
１３  中継部
１４  連結管
１５  櫛歯
１６  ブラシ体
１９  ゴム（伸縮部材）
２０  袋状体
２１  略めがね形状体
２２  略ゴーグル状体
２３  ゴムバンド
２４  略円筒状体
【図１】
2007054353.tif 000003
【図２】
2007054353.tif 000004
【図３】
2007054353.tif 000005
【図４】
2007054353.tif 000006
【図５】
2007054353.tif 000007
【図６】
2007054353.tif 000008